(57)【要約】【課題】    静止画コンテンツを表示してもフリッカにより画像品質が著しく低下することがなく、動画コンテンツを表示してもティアリングにより観察者に不快感を与えることのない、画像表示装置、画像表示システム、及び画像出力機器の提供。【解決手段】画像形成手段２１及び制御手段２２を備えた画像表示装置５において、制御手段２２は、入力する画像情報が動画コンテンツであるか、静止画コンテンツであるかを判定するコンテンツ判定部１１３と、画像情報が動画コンテンツであると判定されたら、前記画像形成手段２１による出力画像のリフレッシュレートを、この動画コンテンツのレートに同期するように設定し、画像情報が静止画コンテンツであると判定されたら、画像形成手段２１による出力画像のリフレッシュレートを、この静止画コンテンツのレートよりも高くなるように設定するリフレッシュレート設定部２２４とを備える。【選択図】  図５
2006098765.tif 000002
【特許請求の範囲】
【請求項１】
入力する画像情報に応じて光学像を形成する画像形成手段と、
この画像形成手段を含む装置全体を制御する制御手段とを備えた画像表示装置であって、
前記制御手段は、
入力する画像情報が動画コンテンツであるか、静止画コンテンツであるかを判定するコンテンツ判定部と、
前記画像情報が動画コンテンツであると判定されたら、前記画像形成手段による出力画像のリフレッシュレートを、この動画コンテンツのレートに同期するように設定し、
前記画像情報が静止画コンテンツであると判定されたら、前記画像形成手段による出力画像のリフレッシュレートを、この静止画コンテンツのレートよりも高くなるように設定するリフレッシュレート設定部とを備えていることを特徴とする画像表示装置。
【請求項２】
請求項１に記載の画像表示装置において、
前記画像判定部は、前記画像情報の動画又は静止画の判定を、該画像情報を含むファイル形式で判定することを特徴とする画像表示装置。
【請求項３】
画像出力機器と、この画像出力機器から出力された画像情報に基づいて、光学像を形成する画像表示装置とを備えた画像表示システムであって、
前記画像表示装置は、
入力した画像情報に応じて光学像を形成する画像形成手段と、
この画像形成手段を含む装置全体を制御する制御手段とを備え、
前記画像出力機器は、
前記画像表示装置に出力する画像情報が、動画コンテンツであるか静止画コンテンツであるかを判定するコンテンツ判定手段と、
動画コンテンツであると判定されたら、動画再生フラグ情報を生成し、静止画コンテンツであると判定されたら、静止画再生フラグ情報を生成するフラグ情報生成手段と、
動画コンテンツであると判定されたら、その動画コンテンツのレートを取得する動画レート取得手段と、
生成したフラグ情報及び／又は取得された動画コンテンツのレートを、前記画像表示装置に出力するフラグ／レート出力手段とを備え、
前記画像表示装置の制御手段は、
前記画像出力機器から出力されたフラグ情報の種別を判定するフラグ判定部と、
動画再生フラグ情報であると判定されたら、前記画像形成手段への出力画像のリフレッシュレートを、前記動画レート取得手段で取得された動画コンテンツのレートに同期するように設定し、
静止画再生フラグ情報であると判定されたら、前記画像形成手段への出力画像のリフレッシュレートを、この静止画コンテンツのレートよりも高くなるように設定するリフレッシュレート設定部とを備えていることを特徴とする画像表示システム。
【請求項４】
画像情報を出力して画像表示装置上に光学像を形成する画像出力機器であって、
前記画像表示装置に出力する画像情報が、動画コンテンツであるか静止画コンテンツであるかを判定するコンテンツ判定手段と、
動画コンテンツであると判定されたら、動画再生フラグ情報を生成し、静止画コンテンツであると判定されたら、静止画再生フラグ情報を生成するフラグ情報生成手段と、
動画コンテンツであると判定されたら、その動画コンテンツのレートを取得する動画レート取得手段と、
生成したフラグ情報及び／又は取得された動画コンテンツのレートを、前記画像表示装置に出力するフラグ／レート出力手段とを備えていることを特徴とする画像出力機器。
【請求項５】
入力される画像情報に応じて光学像を形成する画像形成手段と、この画像形成手段を含む装置全体を制御する制御手段とを備えた画像表示装置であって、
前記制御手段は、
入力する画像情報が、動画コンテンツであるか静止画コンテンツであるかを表すフラグ情報の種別を判定するフラグ判定部と、
動画再生フラグ情報であると判定されたら、前記画像形成手段への出力画像のリフレッシュレートを、この動画コンテンツのレートに同期するように設定し、
静止画再生フラグ情報であると判定されたら、前記画像形成手段への出力画像のリフレッシュレートを、この静止画コンテンツのレートよりも高くなるように設定するリフレッシュレート設定部とを備えていることを特徴とする画像表示装置。
【請求項６】
入力する画像情報に応じて光学像を形成する画像形成手段と、この画像形成手段を含む装置全体を制御する制御手段とを備えた画像表示装置上で実行され、入力される画像情報に応じて、前記画像形成手段のリフレッシュレートを、前記制御手段により設定する画像表示装置のリフレッシュレート設定方法であって、
前記制御手段が、
入力する画像情報が動画コンテンツであるか、静止画コンテンツであるかを判定するコンテンツ判定ステップと、
前記画像情報が動画コンテンツであると判定されたら、前記画像形成手段による出力画像のリフレッシュレートを、この動画コンテンツのレートに同期するように設定し、
前記画像情報が静止画コンテンツであると判定されたら、前記画像形成手段による出力画像のリフレッシュレートを、この静止画コンテンツのレートよりも高くなるように設定するリフレッシュレート設定ステップとを実行することを特徴とする画像表示装置のリフレッシュレート設定方法。
【請求項７】
入力される画像情報に応じて光学像を形成する画像形成手段、及びこの画像形成手段を含む装置全体を制御する制御手段を備えた画像表示装置の前記制御手段上で実行され、前記画像情報に応じて前記画像形成手段のリフレッシュレートを設定する画像表示装置のリフレッシュレート設定方法であって、
前記制御手段が、
前記画像情報が、動画コンテンツであるか静止画コンテンツであるかを表すフラグ情報の種別を判定するフラグ判定ステップと、
動画再生フラグ情報であると判定されたら、前記画像形成手段への出力画像のリフレッシュレートを、この動画コンテンツのレートに同期するように設定し、
静止画再生フラグ情報であると判定されたら、前記画像形成手段への出力画像のリフレッシュレートを、この静止画コンテンツのレートよりも高くなるように設定するリフレッシュレート設定ステップとを実行することを特徴とする画像表示装置のリフレッシュレート設定方法。
【発明の詳細な説明】
【技術分野】
【０００１】
本発明は、画像表示装置、画像表示システム、画像出力機器、及び画像表示装置のリフレッシュレート設定方法に関する。
【背景技術】
【０００２】
パーソナルコンピュータ（ＰＣ）に付属している画像表示装置には静止画や動画が表示されるが、いずれの場合も画像を高品質で表示することが求められる。
静止画コンテンツについては、画面のちらつき（フリッカ）が問題となることが多く、これを防止するために、静止画コンテンツのレート６０Ｈｚよりも画像表示装置による出力画像のリフレッシュレートを高くすること、例えば、７２Ｈｚ、８５Ｈｚとすることが一般的に行われている。
一方、動画コンテンツについては、動画コンテンツのフレームレートとリフレッシュレートや、フレームレートと画像メモリへの書込み、読出しのタイミング等が重要となり、これらにずれがあると、ティアリングという現象が表示画像に生じることがある（特許文献１参照）。
例えば、ＮＴＳＣ方式の動画コンテンツでは、フレームレートが３０Ｈｚであり、インターレース走査であることを考えれば、動画コンテンツのレートは６０Ｈｚとなるが、出力画像のリフレッシュレートを前記の７２Ｈｚとした場合、動画コンテンツのフレーム切替と、出力画像のリフレッシュレートが同期していないため、前のフレームの画像と次のフレームの画像が重なってずれが生じるということがあり、そのずれがどの程度の周期で表示されるかによっては、観察者にとって不快に感じることがある。
【０００３】
【特許文献１】特開２００４−１３３２８３号公報
【発明の開示】
【発明が解決しようとする課題】
【０００４】
そこで、本発明の目的は、静止画コンテンツを表示してもフリッカにより画像品質が著しく低下することがなく、動画コンテンツを表示してもティアリングにより観察者に不快感を与えることのない、画像表示装置、画像表示システム、画像出力機器、及び画像表示装置のリフレッシュレート設定方法を提供することにある。
【課題を解決するための手段】
【０００５】
本発明の画像表示装置は、入力される画像情報に応じて光学像を形成する画像形成手段と、この画像形成手段を含む装置全体を制御する制御手段とを備えた画像表示装置であって、前記制御手段は、入力する画像情報が動画コンテンツであるか、静止画コンテンツであるかを判定するコンテンツ判定部と、前記画像情報が動画コンテンツであると判定されたら、前記画像形成手段による出力画像のリフレッシュレートを、この動画コンテンツのレートに同期するように設定し、前記画像情報が静止画コンテンツであると判定されたら、前記画像形成手段による出力画像のリフレッシュレートを、この静止画コンテンツのレートよりも高くなるように設定するリフレッシュレート設定部とを備えていることを特徴とする。
【０００６】
ここで、動画コンテンツのレートは、例えば、ＮＴＳＣ方式の場合、フレームレートが３０Ｈｚであり、インターレース走査であることを考えるとその倍の６０Ｈｚと考えればよく、ＰＡＬ方式の場合、フレームレートが２５Ｈｚであり、インターレース走査であることを考えると５０Ｈｚであると考えればよく、出力画像のリフレッシュレートは映像方式に応じて、６０Ｈｚ、５０Ｈｚ等に設定すればよい。
この発明によれば、コンテンツ判定部及びリフレッシュレート設定部を備えていることにより、画像情報のコンテンツの種別に応じて適宜リフレッシュレートを変更することができるため、フリッカやティアリング等によって表示画像の品質が低下することがなく、観察者に不快感を与えることがない。
【０００７】
本発明では、前述したコンテンツ判定部は、画像情報の動画又は静止画の判定を、該画像情報を含むファイル形式で判定するのが好ましい。
具体的には、コンピュータで読み取り可能な画像ファイル形式によって判定することができ、例えば、拡張子が「.JPG」であれば静止画コンテンツであると、拡張子が「.MPG」であれば動画コンテンツであると判定すればよい。
この発明によれば、ファイル形式、特に拡張子の符号のみでコンテンツの種別を判定することができるため、コンテンツ判定部による処理の簡素化を図ることができ、制御手段への処理に伴う負荷を軽減することができる。
【０００８】
本発明の画像表示システムは、画像出力機器と、この画像出力機器から出力された画像情報に基づいて、光学像を形成する画像表示装置とを備えた画像表示システムであって、前記画像表示装置は、入力した画像情報に応じて光学像を形成する画像形成手段と、この画像形成手段を含む装置全体を制御する制御手段とを備え、前記画像出力機器は、前記画像表示装置に出力する画像情報が、動画コンテンツであるか静止画コンテンツであるかを判定するコンテンツ判定手段と、動画コンテンツであると判定されたら、動画再生フラグ情報を生成し、静止画コンテンツであると判定されたら、静止画再生フラグ情報を生成するフラグ情報生成手段と、動画コンテンツであると判定されたら、その動画コンテンツのレートを取得する動画レート取得手段と、生成されたフラグ及び／又は取得された動画コンテンツのレートを、前記画像表示装置に出力するフラグ／レート出力手段とを備え、前記画像表示装置の制御手段は、前記画像出力機器から出力されたフラグ情報の種別を判定するフラグ判定部と、動画再生フラグ情報であると判定されたら、前記画像形成手段への出力画像のリフレッシュレートを、前記動画レート取得手段で取得された動画コンテンツのレートに同期するように設定し、静止画再生フラグ情報であると判定されたら、前記画像形成手段への出力画像のリフレッシュレートを、この静止画コンテンツのレートよりも高くなるように設定するリフレッシュレート設定部とを備えていることを特徴とする。
【０００９】
画像出力機器としては、演算処理機能を具備するものを採用するのが好ましく、例えば、コンピュータを採用するのが好適である。
この発明によれば、画像出力機器がコンテンツ判定手段、フラグ情報生成手段、動画レート取得手段を備え、画像表示装置がフラグ判定部及びリフレッシュレート設定部を備えていることにより、コンテンツ判定等の複雑な処理をコンピュータ等の高度な演算能力を有する機器で行い、画像表示装置側ではフラグ判定による簡単な処理でリフレッシュレートを設定することができるため、複雑な処理を画像出力機器及び画像表示装置で按分することができ、両者の処理上の負担を軽減することができる。
【００１０】
本発明の画像出力機器は、前記の画像表示システムに係る発明を構成するものであり、画像情報を出力して画像表示装置上に光学像を形成する画像出力機器であって、前記画像表示装置に出力する画像情報が、動画コンテンツであるか静止画コンテンツであるかを判定するコンテンツ判定手段と、動画コンテンツであると判定されたら、動画再生フラグ情報を生成し、静止画コンテンツであると判定されたら、静止画再生フラグ情報を生成するフラグ情報生成手段と、動画コンテンツであると判定されたら、その動画コンテンツのレートを取得する動画レート取得手段と、生成したフラグ情報及び／又は取得された動画コンテンツのレートを、前記画像表示装置に出力するフラグ／レート出力手段とを備えていることを特徴とする。
【００１１】
本発明の画像表示装置は、前記の画像表示システムに係る発明を構成するものであり、入力される画像情報に応じて光学像を形成する画像形成手段と、この画像形成手段を含む装置全体を制御する制御手段とを備えた画像表示装置であって、前記制御手段は、画像出力機器から出力された画像情報が、動画コンテンツであるか静止画コンテンツであるかを表すフラグ情報の種別を判定するフラグ判定部と、動画再生フラグ情報であると判定されたら、前記画像形成手段への出力画像のリフレッシュレートを、この動画コンテンツのレートに同期するように設定し、静止画再生フラグ情報であると判定されたら、前記画像形成手段への出力画像のリフレッシュレートを、この静止画コンテンツのレートよりも高くなるように設定するリフレッシュレート設定部とを備えていることを特徴とする。
このような画像出力機器及び画像表示装置によれば、前記の画像表示システムに係る発明を構成することが可能となり、両者が協働することによって、画像表示システムによる効果を奏することができる。
【００１２】
本発明の画像表示装置のリフレッシュレート設定方法は、入力する画像情報に応じて光学像を形成する画像形成手段と、この画像形成手段を含む装置全体を制御する制御手段とを備えた画像表示装置上で実行され、入力される画像情報に応じて、前記画像形成手段のリフレッシュレートを、前記制御手段により設定する画像表示装置のリフレッシュレート設定方法であって、前記制御手段が、入力する画像情報が動画コンテンツであるか、静止画コンテンツであるかを判定するコンテンツ判定ステップと、前記画像情報が動画コンテンツであると判定されたら、前記画像形成手段による出力画像のリフレッシュレートを、この動画コンテンツのレートに同期するように設定し、前記画像情報が静止画コンテンツであると判定されたら、前記画像形成手段による出力画像のリフレッシュレートを、この静止画コンテンツのレートよりも高くなるように設定するリフレッシュレート設定ステップとを実行することを特徴とする。
【００１３】
また、本発明の画像表示装置のリフレッシュレート設定方法は、入力される画像情報に応じて光学像を形成する画像形成手段、及びこの画像形成手段を含む装置全体を制御する制御手段を備えた画像表示装置の前記制御手段上で実行され、前記画像情報に応じて前記画像形成手段のリフレッシュレートを設定する画像表示装置のリフレッシュレート設定方法であって、前記制御手段が、前記画像情報が、動画コンテンツであるか静止画コンテンツであるかを表すフラグ情報の種別を判定するフラグ判定ステップと、動画再生フラグ情報であると判定されたら、前記画像形成手段への出力画像のリフレッシュレートを、この動画コンテンツのレートに同期するように設定し、静止画再生フラグ情報であると判定されたら、前記画像形成手段への出力画像のリフレッシュレートを、この静止画コンテンツのレートよりも高くなるように設定するリフレッシュレート設定ステップとを実行することを特徴とする。
【００１４】
ここで、前述した本発明の画像表示装置のリフレッシュレート設定方法は、画像出力機器の演算処理手段や、画像表示装置の制御手段で実行することのできるプログラムとして実現することができ、さらには、このプログラムを記録したコンピュータ読み取り可能な記録媒体としても実現することができる。
このような本発明のリフレッシュレート設定方法によれば、前述した画像表示装置及び画像表示システムと同様の作用及び効果を享受できるうえ、プログラムとして実現したり、このプログラムを記録した記録媒体として実現したりすることによって、種々の画像表示装置及び画像出力機器で本発明を実行することが可能となるため、汎用性が大幅に向上する。
【発明を実施するための最良の形態】
【００１５】
以下、本発明の実施の形態を図面に基づいて説明する。
〔第１実施形態〕
図１には本発明の第１実施形態に係るプロジェクションシステムが示されている。このプロジェクションシステムは、パーソナルコンピュータ等のコンピュータ１と、プロジェクタ２と、これらを接続する画像出力系ケーブル３及びデータ入出力系ケーブル４とを備えて構成され、パーソナルコンピュータから出力される画像情報を、画像出力系ケーブル３を介してプロジェクタ２に出力し、スクリーン等に拡大投射するシステムである。
コンピュータ１及びプロジェクタ２を接続する画像出力系ケーブル３としては、例えば、アナログＲＧＢ等のＶＧＡケーブルやＤＶＩ等のデジタルケーブル等を用いることができる。
また、データ入出力系ケーブル４としては、ＲＳ２３２ＣやＵＳＢ等のシリアルケーブルを用いることができる。
【００１６】
コンピュータ１は、汎用のコンピュータであり、ＣＰＵ１１及びハードディスク１２を備えて構成され、図１では図示を略したが、このコンピュータ１には、キーボード、マウス等の入力デバイスや、ディスプレイ、プリンタ等の出力デバイスが接続されている。
ＣＰＵ１１は、ＯＳ上で展開実行される、デコード部１１１、画像データ生成部１１２、コンテンツ判定部１１３、フラグ情報生成部１１４、動画レート取得部１１５、及び通信制御部１１６を備えて構成される。尚、コンピュータ１が具備する記憶装置としては、前記のハードディスク１２に限定されるものではなく、書込可能なフラッシュメモリ等の種々のメモリカードを採用することができる。
【００１７】
デコード部１１１は、ハードディスク１２内に記録された画像情報をデコードする部分であり、例えば、動画コンテンツであるＭＰＥＧファイルや、静止画コンテンツであるＪＰＥＧファイルを読み取り、ＲＧＢデータや色差データに変換する部分である。
画像データ生成部は、デコード部１１１で変換されたＲＧＢデータ等をアナログＲＧＢやＤＶＩの画像フォーマットに変換する部分であり、所定の画像フォーマットに変換されたデータは画像出力系ケーブル３を介してプロジェクタ２に出力される。
【００１８】
コンテンツ判定部１１３は、ハードディスク１２から読み出される画像ファイルが動画ファイルであるか、静止画ファイルであるかを判定する部分であり、具体的には、読み出されたファイルの拡張子に基づいて判定している。例えば、動画コンテンツであるＭＰＥＧファイルの場合、ファイル拡張子は「.MPG」であり、静止画コンテンツであるＪＰＥＧファイルの場合、ファイル拡張子は「.JPG」であり、コンテンツ判定部１１３は、この拡張子に基づいて、動画であるか否かを判定する。尚、この他にも動画コンテンツには「.AVI」等があり、静止画コンテンツには「.GIF」等があるが、これらのファイル形式もコンピュータ１上で再生ソフト等をインストールしておけば、動画であるか、静止画であるかを判定することができる。
【００１９】
フラグ情報生成部１１４は、コンテンツ判定部１１３で判定された結果に応じて、フラグ情報を生成する部分であり、例えば、動画再生コンテンツであれば、ＤＩ（Dynamic Image）、静止画再生コンテンツであれば、ＳＩ（Static Image）といったフラグ情報を生成する。
動画レート取得部１１５は、コンテンツ判定部１１３で対象ファイルが動画コンテンツであると判定されたら、この動画ファイルに書き込まれた動画レートを取得する部分である。
【００２０】
ＭＰＥＧファイルは、図２に示されるように、シーケンス層ＳＨ（Sequence Header）と、ＧＯＰ層ＧＯＰ（Group Of Pictures）とが交互に繰り返された構成を具備している。シーケンス層ＳＨは、画面フォーマット等を指定する情報であり、本例では各ＧＯＰ層の先頭に付けることにより、途中からの再生を可能としている。ＧＯＰ層ＧＯＰは、画面グループの最小単位を構成する部分であり、動画コンテンツはこのＧＯＰ層ＧＯＰに記録されている。
このようなＭＰＥＧファイルの構成において、動画レート取得部１１５は、ＭＰＥＧファイルのシーケンス層ＳＨにおいて記録された種々の画面フォーマット情報ＳＨＣ、ＨＳ、ＶＳ、ＰＡＲ、ＰＲ、ＢＲ…のうち、ＰＲ（Picture Rate）に記録された情報ＰＲを参照してピクチャーレートを取得する。本例では、このＭＰＥＧファイルからＮＴＳＣ方式に合わせた６０Ｈｚ（ピクチャ数／秒）の動画コンテンツのレートを取得することができる。
【００２１】
通信制御部１１６は、ＵＳＢ等のシリアル伝送系のデータ入出力系ケーブル４を介してデータをプロジェクタ２に出力する部分であり、フラグ情報生成部１１４で生成された動画再生フラグ情報、静止画再生フラグ情報、及び動画レート取得部１１５で取得された動画コンテンツのレート情報をプロジェクタ２に出力するフラグ／レート出力手段として機能する。尚、この通信制御部１１６には、プロジェクタ２から出力された応答信号等も入力され、プロジェクタ２からの応答信号をトリガとして、ＣＰＵ１１は画像データ等の出力を行うようになっている。
【００２２】
プロジェクタ２は、投射画像を形成する画像形成手段２１と、この画像形成手段２１を制御する制御手段としてのＭＰＵ２２と、スキャンコンバータ２３とを備えて構成される。
画像形成手段２１は、図示を略したが、光源と、この光源から射出された光束を画像情報に応じて変調する光変調装置と、この光変調装置で変調された光束を拡大投射する投射光学系とを備えて構成される。光変調装置としては、液晶パネル、マイクロミラーにより光変調を行うデバイス等を利用することができる。また、光変調装置を複数用いた三板式の画像形成手段を採用することも可能であり、この場合、３枚の光変調装置の前段に、光源光をＲＧＢ三色の色光に分離するダイクロイックミラーを組み合わせた色分離光学系を設け、３枚の光変調装置の後段に各色光について変調された光束を合成するクロスダイクロイックプリズム等の色合成光学系が配置される。尚、本例では、光変調装置として液晶パネルを採用している。
【００２３】
制御手段としてのＭＰＵ２２は、画像データ処理部２２１、通信制御部２２２、フラグ判定部２２３、及びリフレッシュレート設定部２２４を備えて構成される。
画像データ処理部２２１は、画像出力系ケーブル３を介して入力するアナログＲＧＢやＤＶＩ等の画像フォーマットをデジタルＲＧＢフォーマットに変換する部分であり、このように変換することにより、ＭＰＵ２２での処理が可能となる。
通信制御部２２２は、コンピュータ１の通信制御部１１６と同様の構造であり、通信制御部１１６から送られてきたフラグ情報及び／又は動画コンテンツのレート等の情報をフラグ判定部２２３及びリフレッシュレート設定部２２４に出力する。
【００２４】
フラグ判定部２２３は、コンピュータ１のフラグ情報生成部１１４で生成されたフラグ情報から、コンピュータ１より出力される画像データが動画コンテンツなのか、静止画コンテンツなのかを判定する部分である。
リフレッシュレート設定部２２４は、フラグ判定部２２３の判定結果に基づいて、画像形成手段２１から出力される出力画像のリフレッシュレートを設定する部分である。
具体的には、画像データが静止画コンテンツであると判定されていた場合、その静止画コンテンツのレート、一般的にはＮＴＳＣ方式の場合６０Ｈｚと設定されているが、これよりも高いリフレッシュレート、例えば、７２Ｈｚや８５Ｈｚに設定する。
【００２５】
一方、画像データが動画コンテンツであると判定された場合、通信制御部２２２を介して入力される動画レートに基づいて、画像形成手段２１から出力される出力画像のリフレッシュレートをこれに同期するように設定する。例えば、動画コンテンツのレートが６０Ｈｚであれば、これに合わせてリフレッシュレートも６０Ｈｚに設定する。このリフレッシュレート設定部２２４で設定された設定情報は、スキャンコンバータ２３に送られる。
スキャンコンバータ２３は、ある周波数の信号を、他のスキャン周波数の信号へと変更する機能を有し、所定の周波数の画像データを、一旦ビデオメモリにサンプリングし、出力する際に周波数を変更することにより、リフレッシュレートを変更することができる。
【００２６】
次に、前述した構造のプロジェクションシステムの作用を図３及び図４に示されるフローチャートに基づいて説明する。尚、図３はコンピュータ１側の処理、図４はプロジェクタ２側の処理が示されているが、これらは協働しているので、以下の説明では、コンピュータ１側の処理をＣＳ１…で表し、プロジェクタ２側の処理をＰＳ１…で表すこととする。
(1)コンピュータ１を操作して画像ファイルを再生しようとすると、図３に示すように、デコード部１１１は、ハードディスク１２に記録された「○○.MPG」、「○○.JPG」等のファイルを読み出して、デコードを開始する（ＣＳ１）。読み出しに際して、コンテンツ判定部１１３は、ファイルの拡張子の部分から動画ファイルであるか否かを判定する（処理ＣＳ２：コンテンツ判定ステップ）。
【００２７】
(2)コンテンツ判定部１１３が静止画ファイルであると判定した場合、フラグ情報生成部１１４は、例えば、静止画再生コンテンツを表すフラグ情報「ＳＩ」を生成し（処理ＣＳ３：フラグ情報生成ステップ）、通信制御部１１６を介して、プロジェクタ２にこのフラグ情報を送信する（処理ＣＳ４：フラグ／レート出力ステップ）。
(3)コンテンツ判定部１１３が動画ファイルであると判定した場合、フラグ情報生成部１１４は、例えば、動画再生コンテンツを表すフラグ情報「ＤＩ」を生成する（処理ＣＳ５：フラグ情報生成ステップ）。続けて、動画レート取得部１１５は、読み出されたＭＰＥＧファイルのシーケンス層ＳＨに記録されたピクチャーレート情報から動画コンテンツのレートを取得する（処理ＣＳ６：動画レート取得ステップ）。生成されたフラグ情報及び取得された動画レートは、通信制御部１１６を介してプロジェクタ２に送信される（処理ＣＳ７：フラグ／レート出力ステップ）。
【００２８】
(4)コンピュータ１側での上記処理中、プロジェクタ２の通信制御部２２２は、フラグ情報を含むフラグ信号の入力を監視する（処理ＰＳ１）。フラグ信号の入力が検出されたら、フラグ判定部２２３は、入力したフラグ情報が動画再生コンテンツを表すフラグ情報であるか、静止画再生コンテンツを表すフラグ情報であるかを判定する（処理ＰＳ２：フラグ判定ステップ）。
(5)フラグ情報が静止画再生コンテンツであると判定された場合、リフレッシュレート設定部２２４は、静止画コンテンツのレートが６０Ｈｚであれば、リフレッシュレートを７２Ｈｚや８５Ｈｚに設定し、設定されたリフレッシュレートに基づいて、スキャンコンバータ２３を制御して静止画用リフレッシュレートに変更する（処理ＰＳ３：リフレッシュレート設定ステップ）。
【００２９】
(6)一方、フラグ情報が動画再生コンテンツであると判定された場合、リフレッシュレート設定部２２４は、通信制御部２２２に入力した動画コンテンツのレートを取得し（処理ＰＳ４）、取得したレートに基づいて、リフレッシュレートの同期設定を行う（処理ＰＳ５：リフレッシュレート設定ステップ）。具体的には、動画コンテンツのレートが６０Ｈｚであれば、リフレッシュレート設定部２２４は、リフレッシュレートを６０Ｈｚに設定し、設定されたリフレッシュレートに基づいて、スキャンコンバータ２３を制御して動画用リフレッシュレートに変更する。
(7)リフレッシュレートの設定が終了したら、通信制御部２２２は、その旨の応答信号をコンピュータ１の通信制御部１１６に送信出力する（処理ＰＳ６）。
【００３０】
(8)図３に戻って、上記プロジェクタ２におけるリフレッシュレート設定の間、コンピュータ１の通信制御部１１６は、応答信号の入力を監視する（処理ＣＳ８）。
(9)応答信号の入力が検出されたら、デコード部１１１はＭＰＥＧファイルやＪＰＥＧファイルに基づいて、ＲＧＢデータや色差データへの変換を行う（処理ＣＳ９）。
(10)さらに、画像データ生成部１１２は、デコードされたＲＧＢデータや色差データをアナログＲＧＢやＤＶＩの画像フォーマットに変換して、画像出力系ケーブル３を介してプロジェクタ２に出力する。
(11)プロジェクタ２の画像データ処理部２２１は、図４に示すように、コンピュータ１から出力された画像データのフォーマットをデジタルＲＧＢに変換して画像形成手段２１に出力し、画像形成手段２１は、この画像データに基づいて画像出力を行う（処理ＰＳ７）。尚、画像データはシリアルデータとしてプロジェクタ２供給され、コンテンツが終了するまで、画像出力が行われる。
【００３１】
(12)再び図３に戻って、デコード部１１１が動画又は静止画コンテンツが終了したと判定したら（処理ＣＳ１２）、通信制御部１１６は、コンテンツ終了信号を生成し、データ入出力系ケーブル４を介してプロジェクタ２に終了信号を出力する（処理ＣＳ１３）。
(13)通信制御部２２２は、上記コンピュータ１の処理の間、終了信号の入力を監視していて（処理ＰＳ８）、終了信号が入力されると、動画又は静止画コンテンツが終了した旨を画像データ処理部２２１に出力する。画像データ処理部２２１は、これに基づいて、画像データの処理を終了する。
(14)画像データ処理部２２１の処理が終了したら、通信制御部２２２は、その旨の応答信号をコンピュータ１に送信する（処理ＰＳ９）。
(15)コンピュータ１の通信制御部１１６は、この応答信号の入力を監視していて、応答信号の入力が確認されたら、画像再生の処理全体を終了する。
【００３２】
以上のように、このようなプロジェクションシステムによれば、コンピュータ１側で再生する画像情報に応じて、自動的にプロジェクタ２のリフレッシュレートが変更され、静止画では、高リフレッシュレートにしてフリッカの発生を防止することができ、動画では、動画コンテンツのレートに同期させることでティアリング等の画像の乱れが生じることを防止することができ、極めて高品質の投射画像を提供することのできるプロジェクションシステムとすることができる。
【００３３】
〔第２実施形態〕
次に、本発明の第２実施形態について説明する。尚、以下の説明では既に説明した部分と同一の部分等についてはその説明を省略又は簡略する。
前述の第１実施形態は、プロジェクションシステムとして構成され、コンピュータ１とプロジェクタ２をケーブル３、４で接続した構成を採用していた。このため、コンピュータ１からプロジェクタ２に画像データを送信する場合、画像データ通信系に適合させるように画像データの変換が必要とされていた。
これに対して、図５に示されるように、第２実施形態に係るプロジェクタ５は、コンピュータにおけるデコード、コンテンツ判定、動画レート取得等の機能がプロジェクタ５内部に内蔵されている点が相違する。
【００３４】
プロジェクタ５は、ハードディスク１２、制御手段としてのＭＰＵ５２、画像形成手段２１、及びスキャンコンバータ２３を備えて構成される。尚、この第２実施形態に係るプロジェクタ５の記憶装置も、ハードディスク１２に限定されるものではなく、フラッシュメモリ等を採用してもよい。
このプロジェクタ５では、ハードディスク１２から読み出された動画又は静止画ファイルがデコード部１１１でデコードされると、そのまま、スキャンコンバータ２３を介して画像形成手段２１に出力されるようになっている。
コンテンツ判定部１１３による動画又は静止画の判定や、動画レート取得部１１５による動画コンテンツのレート取得や、リフレッシュレート設定部２２４によるリフレッシュレートの設定は第１実施形態と同様であるので、その説明を省略する。
【００３５】
このようなプロジェクタ５によれば、動画又は静止画コンテンツを表示する機能がプロジェクタ５に内蔵されているため、動画又は静止画の再生を簡便かつ効率よく行うことができる。
また、プロジェクタ５の入力側にＤＶＩやＶＧＡ等の入力端子が設けられていれば、これらの入力端子から入力される動画又は静止画コンテンツを、ＣＰＵ５２を介して画像形成手段２１により表示することができるため、ＤＶＤプレーヤやビデオデッキ等の画像出力機器を接続することにより、動画、静止画の判定をしながら、適切なリフレッシュレートで画像表示することができる。
【００３６】
尚、本発明は、前述した各実施形態に限定されるものではなく以下に示すような変形をも含むものである。
前記実施形態では、画像表示装置としてプロジェクタ２、５を使用していたが、これに限られない。すなわち、画像表示装置として薄型ディスプレイ、特に薄型液晶ディスプレイに本発明を採用してもよい。
前記第１実施形態では、コンピュータ１及びプロジェクタ２をケーブル３、４で接続していたが、プロジェクタにコンピュータ挿入用のスロットを設けておき、これにコンピュータを装着するようにしてもよい。この場合、コンピュータ及びプロジェクタはコネクタ等により接続されているため、第１実施形態の場合と同様の通信系によって通信されることとなる。
【００３７】
前記第１実施形態では、画像出力系ケーブル３及びデータ入出力系ケーブル４が別々になっていたが、近年のデジタル通信用のケーブルであれば、画像出力系のケーブルに同時にデータ入出力の通信系を設けることもできる。これにより、コンピュータ及びプロジェクタ間の接続ケーブルが削減され、接続作業を簡単にすることができる。
その他、本発明の侍史の際の具体的な構造及び形状等は本発明の目的を達成できる範囲で他の構造等としてもよい。
【産業上の利用可能性】
【００３８】
本発明は、前述した液晶プロジェクタに利用できるように、バックライト付きの液晶テレビジョンや液晶テレビジョンシステムにも利用することができる。
【図面の簡単な説明】
【００３９】
【図１】本発明の第１実施形態に係る画像表示システムを表すブロック図である。
【図２】前記実施形態におけるＭＰＥＧファイルの構造を説明するための模式図である。
【図３】前記実施形態における画像表示システムの作用を表すフローチャートである。
【図４】前記実施形態における画像表示システムの作用を表すフローチャートである。
【図５】本発明の第２実施形態に係る画像表示装置を表すブロック図である。
【符号の説明】
【００４０】
１…コンピュータ（画像出力機器）、２、５…プロジェクタ（画像表示装置）、２１…画像形成手段、２２、５２…ＭＰＵ（制御手段）、１１３…コンテンツ判定部、１１４…フラグ情報生成部、１１５…動画レート取得部（動画レート取得手段）、１１６…通信制御部（フラグ／レート出力手段）、２２３…フラグ判定部、２２４…リフレッシュレート設定部
【図１】
2006098765.tif 000003
【図２】
2006098765.tif 000004
【図３】
2006098765.tif 000005
【図４】
2006098765.tif 000006
【図５】
2006098765.tif 000007